(57)【要約】【課題】トナー濃度に上限を設ける制御に起因してトナーの帯電量が通常のレベルより高まっても、キャリア付着を抑制できる画像形成装置を提供する。【解決手段】感光ドラム４０にパッチ画像を形成して画像濃度センサ７３によって検出し、トナー載り量を規定値に誘導するようにトナー補給槽６０から現像装置４４へ補給トナーを供給する。トナー濃度センサ８０により測定した現像装置４４内の二成分現像剤のトナー濃度が上限値を上回ると、ビデオカウンタ６６で求めたトナー消費量の１００％を補給する制御を５０％に変更してトナー濃度のさらなる上昇を阻止する。同時に、現像に用いる直流電圧と感光ドラム４０の帯電電位との電位差であるかぶり取り電圧Ｖｂａｃｋを規定の１５０Ｖから１３０Ｖへ低下させる。【選択図】図１
2011118146.tif 000002
【特許請求の範囲】
【請求項１】
像担持体と、前記像担持体に静電像を形成する静電像形成手段と、トナーとキャリアを含む現像剤を現像剤担持体に担持させて前記静電像をトナー像を現像する現像装置と、前記現像装置によって現像されたパッチ画像のトナー載り量を検出する検出手段と、前記現像装置にトナーを補給するトナー補給手段と、前記パッチ画像のトナー載り量を所定量に誘導するように前記検出手段の出力に基づいて前記トナー補給手段を制御する補給制御手段とを備え、前記補給制御手段は、前記現像剤に占めるトナーの比率が所定の上限を超えると、前記トナーの比率を維持するために必要な量以下のトナーを補給させる画像形成装置において、
前記必要な量以下のトナーが補給され始めると、前記静電像のトナーを付着させない部分の電位と前記現像剤担持体の電位との電位差であるかぶり取り電圧を小さくするように制御する現像制御手段を備えたことを特徴とする画像形成装置。
【請求項２】
前記トナー補給制御手段は、前記トナーの比率が所定の下限を割り込むと、前記トナーの比率を維持するために必要な量以上のトナーを補給させ、
前記現像制御手段は、前記必要な量以上のトナーが補給され始めると、前記かぶり取り電圧を大きくするように制御することを特徴とする請求項１記載の画像形成装置。
【請求項３】
前記現像制御手段は、前記トナーの比率が前記所定の上限を超えると、画像形成の累積に伴って少しずつ前記かぶり取り電圧を小さくし、前記トナーの比率が前記所定の上限を超えた状態から前記所定の上限を割り込むと、画像形成の累積に伴って少しずつ前記かぶり取り電圧を大きくすることを特徴とする請求項２記載の画像形成装置。
【請求項４】
前記現像制御手段は、前記トナーの比率が前記所定の下限を割り込むと、画像形成の累積に伴って少しずつ前記かぶり取り電圧を大きくし、前記トナーの比率が前記所定の下限を割り込んだ状態から前記所定の下限を超えると画像形成の累積に伴って少しずつ前記かぶり取り電圧を小さくすることを特徴とする請求項３記載の画像形成装置。
【請求項５】
前記トナーの比率が前記所定の上限を超えた後も前記パッチ画像が形成されて前記検出手段により検出され、
前記現像制御手段は、検出された前記パッチ画像のトナー載り量が少ないほど前記かぶり取り電圧が小さくなるように制御することを特徴とする請求項１又は２記載の画像形成装置。
【請求項６】
前記トナーの比率が前記所定の下限を割り込んだ後も前記パッチ画像が形成されて前記検出手段により検出され、
前記現像制御手段は、検出された前記パッチ画像のトナー載り量が多いほど前記かぶり取り電圧が大きくなるように制御することを特徴とする請求項２記載の画像形成装置。
【請求項７】
画像形成に供される画像信号から画像ごとのトナー消費量を計算するビデオカウント処理手段を備え、前記補給制御手段は、ビデオカウント処理手段の計算結果に基づいて前記トナーの比率を維持するために必要なトナー補給量を求めることを特徴とする請求項１乃至６のいずれか１項記載の画像形成装置。
【発明の詳細な説明】
【技術分野】
【０００１】
本発明は、パッチ画像のトナー載り量が一定に保たれるように現像装置にトナーを補給する画像形成装置、詳しくは、トナー補給の結果、現像剤のトナー比率が上限を超えてしまった際のキャリア付着を防止する制御に関する。
【背景技術】
【０００２】
トナー（非磁性）とキャリア（磁性）を含む二成分現像剤を用いて、像担持体（感光体）に形成された静電像を現像する画像形成装置が広く用いられている。二成分現像剤を用いる画像形成装置では、通常、像担持体に所定の帯電・露光条件により形成したパッチ画像を光学式センサで検出している。そして、パッチ画像のトナー載り量が所定値に誘導されるように、現像装置に対するトナー補給量を検出結果に応じて制御している（特許文献１）。この制御は、所定の現像コントラストを持つ静電像で所定のトナー載り量が得られるように、トナーの帯電量を一定に保つもので、パッチ検ＡＴＲ（Ａｕｔｏ  Ｔｏｎｅｒ  Ｒｅｐｌｅｎｉｓｈｉｎｇ）と呼ばれる。
【０００３】
しかし、パッチ検ＡＴＲでは、トナーの帯電量が高まると、トナーがどんどん補給されて二成分現像剤に占めるトナーの比率（ＴＤ比：トナー濃度）が過剰になり、トナー飛散による画像不良が発生し易くなる。一方、トナーの帯電量が低下すると、トナーの補給量がどんどん減らされて二成分現像剤に占めるトナーの比率（ＴＤ比：トナー濃度）が不足になり、濃度ムラの多いがさついた画像が出力されてしまう。
【０００４】
このため、二成分現像剤のトナー濃度を検出するトナー濃度センサを現像装置に設け、検出したトナー濃度が所定の上限を超えるとトナー補給を絞り込み、所定の下限を割り込むとトナーを強制補給している（特許文献２）。
【先行技術文献】
【特許文献】
【０００５】
【特許文献１】特開平１０−０３９６０８号公報
【特許文献２】特開２００４−２７１８３４号公報
【発明の概要】
【発明が解決しようとする課題】
【０００６】
特許文献２に示されるように、二成分現像剤のトナー濃度に上限／下限を設けた場合、上限を超えたトナー濃度や下限を設けたトナー濃度になると、トナー帯電量を一定に保つことができなくなる。
【０００７】
例えば、画像比率の少ない画像形成が続くと、図９の（ａ）の時刻Ａに示すようにトナーの帯電量が高まるので、トナーの帯電量の高まりを抑えるためにトナーが過剰に補給され続け、その結果として二成分現像剤のトナー濃度が上限に達する。このとき、上限を超えてしまった二成分現像剤のトナー濃度を下げるためにトナー補給を意図的に絞り込むと、図９の（ｃ）に示すように、トナーの帯電量が通常のレベルよりも高くなる。
【０００８】
そして、トナーの帯電量が高まると、図２に示すように、現像装置（４４）の現像剤担持体（５１）に担持されているキャリアの帯電量も高まる。このとき、像担持体（４０）の白地部と現像剤担持体（５１）の電位差に駆動されて、現像剤担持体（５１）から像担持体（４０）へ移転するキャリアが増え、キャリアの付着に起因する画像不良が発生し易くなる。
【０００９】
また、逆に、画像比率の多い画像形成が続くと、図９の（ａ）の時刻Ｃに示すようにトナーの帯電量が低下するので、トナーの帯電量の低下を抑えるためにトナー補給が大きく絞り込まれ、その結果として二成分現像剤のトナー濃度が下限に達する。このとき、下限を割り込んでしまった二成分現像剤のトナー濃度を上げるために過剰にトナーを補給すると、図９の（ｃ）に示すように、トナーの帯電量が通常のレベルよりも低くなる。
【００１０】
そして、トナーの帯電量が低くなると、図２に示すように、現像剤担持体（５１）から離脱するトナーが増え、トナーが静電像の白地部に付着する、いわゆる白地かぶりを発生し易くなる。
【００１１】
本発明は、トナー濃度に上限を設ける制御に起因してトナーの帯電量が通常のレベルより高まっても、キャリア付着に起因する画像不良を抑制できる画像形成装置を提供することを目的としている。
【課題を解決するための手段】
【００１２】
本発明の画像形成装置は、像担持体と、前記像担持体に静電像を形成する静電像形成手段と、トナーとキャリアを含む現像剤を現像剤担持体に担持させて前記静電像をトナー像を現像する現像装置と、前記現像装置によって現像されたパッチ画像のトナー載り量を検出する検出手段と、前記現像装置にトナーを補給するトナー補給手段と、前記パッチ画像のトナー載り量を所定量に誘導するように前記検出手段の出力に基づいて前記トナー補給手段を制御する補給制御手段とを備え、前記補給制御手段は、前記現像剤に占めるトナーの比率が所定の上限を超えると前記トナーの比率を維持するために必要な量以下のトナーを補給させるものである。そして、前記必要な量以下のトナーが補給され始めると、前記静電像のトナーを付着させない部分の電位と前記現像剤担持体の電位との電位差であるかぶり取り電圧を小さくするように制御する現像制御手段を備える。
【発明の効果】
【００１３】
本発明の画像形成装置では、現像剤に占めるトナーの比率が上限を越えた場合に、静電像の白地部分と現像剤担持体に担持されたキャリアの電気的な引力を形成するかぶり取り電圧をそれまでのレベルよりも低下させる。このため、キャリアの帯電量が増えても、静電像の白地部分と現像剤担持体に担持されたキャリアの電気的な引力が、かぶり取り電圧を通常のレベルに保った場合ほどには高まらない。
【００１４】
従って、トナー濃度に上限を設ける制御に起因してトナーの帯電量が通常のレベルより高まっても、キャリアが像担持体に付着することによる画像不良を抑制できる。
【図面の簡単な説明】
【００１５】
【図１】画像形成装置の構成の説明図である。
【図２】現像装置の構成の説明図である。
【図３】露光装置のパルス幅変調の説明図である。
【図４】パッチ検ＡＴＲによるトナー補給量の決定の説明図である。
【図５】トナー濃度制御におけるトナー補給量の説明図である。
【図６】キャリア付着及び白地かぶりを抑制するためのかぶり取り電圧の調整の説明図である。
【図７】実施例１のかぶり取り電圧制御のフローチャートである。
【図８】実施例１におけるかぶり取り電圧の制御の説明図である。
【図９】実施例１による制御例のタイムチャートである。
【図１０】実施例２におけるかぶり取り電圧の制御の説明図である。
【図１１】実施例３におけるかぶり取り電圧の制御の説明図である。
【図１２】実施例３のかぶり取り電圧制御のフローチャートである。
【図１３】第１実施例と第３実施例との制御の比較の説明図である。
【発明を実施するための形態】
【００１６】
以下、図面を参照して本発明の実施形態を詳細に説明する。本発明は、二成分現像剤のトナー濃度が上限を超えた場合にかぶり取り電圧が低下する限りにおいて、実施形態の構成の一部または全部を、その代替的な構成で置き換えた別の実施形態でも実施できる。
【００１７】
従って、二成分現像剤を用いる現像装置を搭載していれば、モノクロ、フルカラー、タンデム型、１ドラム型、中間転写方式、記録材搬送方式、直接転写方式の区別無く実施できる。実施形態では、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【００１８】
なお、特許文献１、２に示される画像形成装置の一般的な事項については、図示を省略して重複する説明を省略する。
【００１９】
＜画像形成装置＞
図１は画像形成装置の構成の説明図である。図２は現像装置の構成の説明図である。図３は露光装置のパルス幅変調の説明図である。
【００２０】
図１に示すように、画像形成装置１００は、記録材搬送ベルト４７に沿ってイエロー、マゼンタ、シアンの画像形成部Ｐａ、Ｐｂ、Ｐｃを配置したタンデム型記録材搬送ベルト方式のフルカラープリンタである。画像形成部Ｐａ、Ｐｂ、Ｐｃは、同様に構成されているが、説明を簡単にするために画像形成部Ｐａのみを詳細に図示している。
【００２１】
画像形成部Ｐａでは感光ドラム４０にイエローのトナー像が形成されて記録材搬送ベルト４７に担持された記録材Ｐに転写される。画像形成部Ｐｂでは同様にマゼンタのトナー像が形成され、記録材搬送ベルト４７に担持された記録材Ｐ上のイエローのトナー像に重ねて転写される。画像形成部Ｐｃでは、同様にシアンのトナー像が形成されて、記録材搬送ベルト４７に担持された記録材Ｐへ同様に転写される。
【００２２】
記録材カセット２０から引き出された記録材Ｐは、分離ローラ２１によって１枚ずつに分離されてレジストローラ２２へ給送される。レジストローラ２２は、停止状態で記録材Ｐを受け止め、感光ドラム４０のトナー像にタイミングを合わせて記録材Ｐを送り出し、記録材搬送ベルト４７に吸着させた状態で転写部Ｔ１へ送り込む。記録材搬送ベルト４７は、２個のローラ４５ａ、４５ｂ間に張架され、矢印Ｒ２方向に回転する。
【００２３】
画像形成部Ｐａ、Ｐｂ、Ｐｃで各色トナー像を重ねてフルカラートナー像を形成された記録材Ｐは、記録材搬送ベルト４７から曲率分離されて定着装置２３へ送り込まれる。定着装置２３は、フルカラートナー像が形成された記録材Ｐを、一対のローラの加熱ニップで加熱・加圧しつつ搬送して、フルカラー画像を記録材Ｐの表面に定着させる。
【００２４】
ここでは、シアン、マゼンタ、イエローの画像形成部Ｐａ、Ｐｂ、Ｐｃを備えた３ステーション構成を説明したが、ブラックを加えた４ステーション構成、中間色又は中間濃度又は透明等のステーションを追加した多ステーション構成で実施してもよい。いずれにせよ、各画像形成部では、感光ドラム上に原稿の画像を色分解した各色毎（画像の各色成分毎）の静電像が形成され、対応する色のトナーを有する現像剤を用いる現像装置で現像され、転写材Ｐ上に順次に重ね合わせて転写される。
【００２５】
画像形成部Ｐａは、像担持体の一例である感光ドラム４０の周囲に、コロナ帯電器４２、露光装置３０、電位センサ２４、現像装置４４、転写帯電器４９、ドラムクリーニング装置５０ｅ、除電露光ランプ４１を配置している。感光ドラム４０は、アルミニウムシリンダの外周面に負極性の帯電極性の感光層が形成され、所定のプロセススピードで矢印Ｒ１方向に回転する。
【００２６】
コロナ帯電器４２は、コロナ放電に伴う荷電粒子を感光ドラム４０に照射して、感光ドラム４０の表面を一様な負極性の暗部電位ＶＤに帯電させる。静電像形成手段の一例である露光装置３０は、入力画像を展開した走査線画像データをＯＮ−ＯＦＦ変調したレーザービームを回転多面鏡３７で走査して、感光ドラム４０の表面に画像の静電像を書き込む。
【００２７】
図２に示すように、現像装置４４は、後述するように、二成分現像剤を用いて、感光ドラム４０の静電像（露光部）にトナーを付着させて、トナー像を反転現像する。転写帯電器４９は、コロナ放電に伴う荷電粒子を記録材搬送ベルト４７に照射して正極性に帯電させ、感光ドラム４０に担持されたトナー像を、記録材搬送ベルト４７に担持されて転写部Ｔａを通過する記録材Ｐへ転写させる。
【００２８】
図１に示すように、ドラムクリーニング装置５０ｅは、感光ドラム４０にクリーニングブレードを摺擦させて、記録材Ｐへの転写を逃れて感光ドラム４０に残った転写残トナーを回収する。除電露光ランプ４１は、感光ドラム４０の表面を一様に露光して前回の静電像の残りを消去する。
【００２９】
＜露光装置＞
複写されるべき原稿３１の画像は、レンズ３２によってＣＣＤなどの撮像素子３３に投影される。撮像素子３３は、原稿画像を多数の画素に分解し、各画素の濃度に対応した光電変換信号を発生する。撮像素子３３から出力されるアナログ画像信号は、画像信号処理回路３４に送られ、ここで各画素ごとに、その画素のイエロー濃度に対応した出力レベルを有する画素画像信号（入力画像濃度信号）に変換され、パルス幅変調回路３５に送られる。
【００３０】
まず、原稿３１の画像がＣＣＤにより読みとられ、得られたアナログ画像信号が増幅器で所定のレベルまで増幅され、アナログ−デジタル変換器（Ａ／Ｄ変換器）により例えば８ビット（０〜２５５階調）のデジタル画像信号に変換される。
【００３１】
つぎに、このデジタル画像信号はγ変換器（本例では、２５６バイトのＲＡＭで構成され、ルックアップテーブル方式で濃度変換を行う変換器）に供給され、そこでγ補正された後、Ｄ／Ａ変換器（デジタル−アナログ）に入力される。Ｄ／Ａ変換器によりデジタル画像信号は再びアナログ画像信号に変換されて、コンパレータの一方の入力に供給される。コンパレータの他方の入力には、三角波発生回路から発生される所定周期の三角波信号が供給されており、コンパレータの一方の入力に供給されたアナログ画像信号は、この三角波信号と比較されてパルス幅変調される。このパルス幅変調された二値化画像信号は、露光装置３０にそのまま入力され、レーザダイオード３６の発光のオン・オフ制御用信号として使用される。
【００３２】
パルス幅変調回路３５は、図３の（ａ）に示すように、入力される画素画像信号毎に、そのレベルに対応した幅（時間長）のレーザ駆動パルスを形成して出力する。
【００３３】
図３の（ａ）に示すように、高濃度の画素画像信号に対しては幅の広い駆動パルスＷを、低濃度の画素画像信号に対しては幅の狭い駆動パルスＳを、中濃度の画素画像信号に対しては中間の幅の駆動パルスＩをそれぞれ形成する。
【００３４】
パルス幅変調回路３５から出力されたレーザ駆動パルスは、半導体レーザ（レーザダイオード３６）に補給され、半導体レーザ３６をそのパルス幅に対応する時間だけ発光させる。従って、半導体レーザ３６は高濃度画素に対してはより長い時間駆動され、低濃度画素に対してはより短い時間駆動されることになる。このため、図３の（ｄ）に示すように、感光ドラム４０は、高濃度画素に対しては主走査方向により長い範囲が露光され、低濃度画素に対しては主走査方向により短い範囲が露光される。図３の（ｄ）では、低、中、高濃度画素の静電像をそれぞれＬ、Ｍ、Ｈで示した。
【００３５】
つまり、画素の濃度に対応して静電像のドットサイズが異なる。従って、当然のことながら、高濃度画素に対するトナー消費量は低濃度画素に対するそれよりも大である。
【００３６】
露光装置３０は、レーザ光３６ａを感光ドラム４０方向に指向させ、半導体レーザ３６から照射されたレーザ光３６ａを感光ドラム４０の回転軸とほぼ平行な方向（主走査方向）に走査して静電像を形成する。レーザ光３６ａは、回転多面鏡３７によって主走査方向に掃引され、ｆ／θレンズ３８及び固定ミラー３９によって、感光ドラム４０上にスポット結像される。
【００３７】
＜現像装置＞
図２に示すように、現像装置４４は、キャリア（磁性）とトナー（非磁性）を含む二成分現像剤を収容した現像容器５０を備える。現像容器５０の感光ドラム４０に面した開口部に、現像剤担持体の一例である現像スリーブ５１が感光ドラム４０と３００μｍの間隙を開けて回転自在に設置されている。
【００３８】
現像スリーブ５１は、アルミニウムなどの非磁性材料の円筒体からなり、その内側には、５つの磁極Ｎ１、Ｓ１、Ｎ２、Ｎ３、Ｓ２を有する磁界発生手段の一例であるマグネットローラ５２が非回転に配置されている。
【００３９】
現像スリーブ５１の上方の現像容器５０に隣接する部分には、現像スリーブ５１も担持させる二成分現像剤の層厚を規制するための規制ブレード５３が取り付けられる。規制ブレード５３は、磁性材料で形成され、マグネットローラ５２の鉛直方向最上点に略位置した磁極Ｓ２の近傍に向けて、現像スリーブ５１と非接触に配置されている。
【００４０】
現像容器５０は、長手方向の隔壁５５によって現像室５０Ａと攪拌室５０Ｂに仕切られている。隔壁５５の長手方向の両端部に設けた不図示の一対の開口部を通じて、現像室５０Ａと攪拌室５０Ｂが連通して、現像容器５０に現像剤の循環経路が構成される。
【００４１】
現像室５０Ａと攪拌室５０Ｂには、搬送方向が逆方向に設定された搬送スクリュー５４、５６がそれぞれ配置されている。現像容器５０内に収容された二成分現像剤は、搬送スクリュー５４、５６の撹拌、搬送によって現像容器５０内を循環されながら、現像スリーブ５１に供給される。
【００４２】
現像スリーブ５１に供給された現像剤は、マグネットローラ５２の磁極Ｎ３により現像スリーブ５１上に汲み上げられる。そして、現像スリーブ５１の矢印Ｃ方向の回転にともない、現像スリーブ５１上を磁極Ｎ３→磁極Ｓ２→磁極Ｎ１と搬送され、現像スリーブ５１と感光ドラム４０とが対向した現像部Ｇに至る。その搬送の途上で、二成分現像剤は、規制ブレード５３により磁極Ｓ２と協働して磁気的に層厚を規制され、現像スリーブ５１上に二成分現像剤の薄層が形成される。
【００４３】
現像部Ｇに位置されたマグネットローラ５２の磁極Ｎ１は現像主極であり、現像部Ｇに搬送された二成分現像剤は、磁極Ｎ１によって穂立ちして感光ドラム４０の表面に接触し、感光ドラム４０の表面に形成された静電像を現像する。
【００４４】
現像部Ｇを通過する過程で静電像を現像してトナーを消費した二成分現像剤は、現像スリーブ５１の回転により搬送極Ｓ１を経て現像容器５０内に戻り、磁極Ｎ２、Ｎ３の反発磁界で現像スリーブ５１から落下して搬送スクリュー５４に取り込まれる。
【００４５】
＜トナー補給装置＞
電子写真方式、静電記録方式の画像形成装置は、近年では、フルカラーで高速の印刷能力、イメージ画像印刷等が望まれ、その結果印刷画質も高品質で高精細なものが望まれるようになってきた。フルカラー対応の画像形成装置が具備する現像装置は、画像の色味などの観点から、トナー（非磁性）とキャリア（磁性）を主成分とした二成分現像剤を使用する傾向である。そして、二成分現像剤のトナー濃度（ＴＤ比：キャリアおよびトナーの合計重量に対するトナー重量の割合）は、画像品質を安定化させる上で極めて重要な要素になっている。
【００４６】
二成分現像剤を用いる現像装置では、現像時にトナーが消費されて二成分現像剤のトナー濃度が減少するため、適時、トナー補給を行う必要がある。トナー濃度が減少した現像装置内の二成分現像剤にトナーを補給してトナー濃度（又は画像濃度）を一定に制御するために、さまざまな方式のトナー補給（ＡＴＲ）制御が実用化されている。
【００４７】
例えば、二成分現像剤のトナー濃度を反射光量にて検知してトナー補給を制御する現像剤反射ＡＴＲが知られている。感光ドラムにパッチ画像を作像し、パッチ画像のトナー載り量を反射光センサにより検知してトナー補給を制御するパッチ検ＡＴＲも知られている。また、ビデオカウンタを用いて、画素ごとのデジタル画像信号の出力レベルから必要トナー量を演算してトナー補給を制御するビデオカウンタＡＴＲも知られている。
【００４８】
さらに、現像剤反射ＡＴＲの初期値をパッチ検ＡＴＲにより補正する方式、さらにはビデオカウントＡＴＲを主に用い、適宜パッチ検ＡＴＲによりトナー補給量を補正する方式等が種々提案されている。
【００４９】
図１に示すように、画像形成装置１００でも、画像形成に伴ってトナーが感光ドラム４０へ取り出されると、現像装置４４内の二成分現像剤４３のトナー濃度が低下する。このため、制御部２５は、モータ７０を制御してトナー搬送スクリュー６２を所定の回転角度だけ回転させることにより、トナー補給槽６０から補給用トナー６３を現像装置４４へ必要なだけ補給する。
【００５０】
現像装置４４の上部には、補給用トナー６３を収容したトナー補給槽６０が取り付けられている。トナー補給手段の一例であるトナー補給槽６０内の下部には、トナー搬送スクリュー６２が設置されている。モータ７０は、ギア列７１を介してトナー搬送スクリュー６２に接続している。モータ７０を作動させると、トナー搬送スクリュー６２が回転して、トナー補給槽６０内から補給用トナー６３を引き出して現像装置４４に供給する。
【００５１】
トナー補給制御手段を兼ねる制御部２５は、モータ駆動回路６９を介してモータ７０の回転速度と回転タイミングを制御することにより、トナー搬送スクリュー６２によるトナーの供給を実行する。制御部２５のＣＰＵ６７に接続されたＲＡＭ６８には、モータ駆動回路６９に供給する制御データ等が記憶されている。トナー搬送スクリュー６２の回転量に対するトナー補給量は、予め実験的に把握してテーブル化されている。
【００５２】
制御部２５は、１枚の画像形成ごとに現像で消費されるトナー量をビデオカウントＡＴＲによって求めて、直ちにトナー搬送スクリュー６２を求めたトナー量に見合った角度だけ回転させて、補給用トナー６３を現像装置４４に供給する。
【００５３】
図１に示すように、ビデオカウンタ６６は、パルス幅変調回路３５から出力されたレーザ駆動パルスのビデオカウント処理を行う。ビデオカウンタ６６は、図３の（ｂ）に示すクロックパルスと図３の（ａ）に示すレーザ駆動パルスの論理和を計算して図３の（ｃ）のようにビデオカウントパルスを形成し、カウントする。
【００５４】
制御部２５は、ビデオカウンタ６６が１枚の画像の画像形成中にカウントしたパルス数から１枚の画像のトナー消費量の計算結果を計算することにより、現像装置４４から取り出されるトナー量に見合ったトナー補給量を求める。このトナー補給量は、消費したトナーを補って画像形成後の現像装置４４内の二成分現像剤のトナー濃度を、画像形成前のトナー濃度に一致させるために必要な量の計算結果である。
【００５５】
制御部２５は、１枚の画像形成中に、１枚前の画像形成中に求めたトナー補給量の計算結果に応じた時間だけモータ７０を作動させて、トナー補給槽６０から、１枚前の画像形成中に消費しただけの必要な量の補給用トナー６３を現像装置４４に供給する。
【００５６】
しかし、ビデオカウントＡＴＲに補給量と実際のトナー消費量との誤差の累積によって、現像装置４４内の二成分現像剤のトナー濃度は少しずつ変化する。また、二成分現像剤のトナー濃度が一定に維持されていても、トナー帯電量Ｑ／Ｍが変化すると、同じ現像コントラストの静電像でもトナーの付着量が変化して画像濃度は違ってくる（図９参照）。
【００５７】
このため、画像形成装置１００では、ビデオカウントＡＴＲにパッチ検ＡＴＲと現像剤反射ＡＴＲとを組み合わせて、二成分現像剤中のトナー濃度の変動を所定範囲で許容しつつトナー帯電量Ｑ／Ｍを一定に保つトナー補給制御を採用している。
【００５８】
＜トナー補給制御＞
現像剤反射ＡＴＲ、インダクタンス方式ＡＴＲ、ビデオカウントＡＴＲは、二成分現像剤のトナー濃度（Ｔ／Ｄ比）の安定性を主目的とする。このため、トナー濃度は安定するものの、キャリアの帯電能力の変化や、長時間放置、或いは画像形成装置の設置環境の急激な変化等が発生すると、トナー帯電量が変化する。その結果、許容範囲を大きく外れたフルカラー画像の色味変動や濃度変動を引き起こす場合があり、検討の余地が残されていた。トナー濃度の一定化を念頭においたトナー補給制御の場合、フルカラー画像の色味変動に主眼を置いたものでなく、検討の余地が残されていた。
【００５９】
これに対して、パッチ検ＡＴＲは、所定の濃度目標のパッチ画像を形成してパッチ画像のトナー載り量を測定し、初期のパッチ画像のトナー載り量と比較した結果に基いてトナー補給制御を行う。パッチ検ＡＴＲでは、感光ドラムに形成されるパッチ画像のトナー載り量を一定にすることで、濃度変動、色見変動を防止し、かつトナー濃度制御も行うという二面性を併せ持っている。
【００６０】
パッチ検ＡＴＲによりパッチ画像のトナー載り量を一定に保つことで、トナー帯電量の変動も小さくできるため、現像の後に続く静電転写の安定にもつながり、結果として良好に濃度を推移させ、色味変動も小さくできる。
【００６１】
しかし、パッチ検ＡＴＲは、キャリアの帯電能力の変化や、長時間放置、或いは画像形成装置の設置環境の急激な変化が発生すると、画像濃度は維持されても様々な画像不良が発生し易くなる。後述するように、トナー濃度が上昇した場合はトナー飛散を引き起こし、トナー濃度が下降した場合は濃度ムラの大きい、がさついた画像が出力されてしまう。
【００６２】
このような状況を鑑みて、特許文献２には、インダクタンスＡＴＲとパッチ検ＡＴＲを併用し、トナー濃度をある一定範囲に抑えつつ、パッチ検ＡＴＲを行うというトナー補給制御が提案されている。ここでは、インダクタンスＡＴＲにより検知されたトナー濃度が、予め決められた上限又は下限を超えた場合に、パッチ検ＡＴＲを中止又は制限するＴＤ比リミット制御を行っている。トナー濃度が上限を超えた場合は結果的にトナー補給を抑制し、逆に下限を下回った場合はトナー補給を多めに行うことで、トナー濃度を所定の範囲内に収める制御を行っている。
【００６３】
特許文献２に示されるトナー補給制御は、トナー濃度（ＴＤ比）が大きく変動することなく、かつパッチ検ＡＴＲにより画像濃度を一定に保つ制御を行うため、安定した画像濃度／トナー濃度制御を行うことができる。しかし、トナー濃度が上限又は下限を超えた場合に、トナー濃度を適正範囲に引き戻すべくトナー補給の割り増し又は抑制を行うため、トナーの帯電量を一定に保つことが難しくなる。結果として、トナー帯電量を略一定に保てなくなって画像濃度が変化してしまう。
【００６４】
具体的には、トナー濃度が上限を超えると、トナーのチャージアップによるトナー帯電量の上昇が発生する。逆にトナー濃度が下限を割り込むと、ＴＤ比上昇によるトナー帯電量の下降が発生する。
【００６５】
そして、トナー帯電量の上昇が発生すると、後述するようにキャリア付着に起因する画像不良が発生し易くなり、トナー帯電量の下降が発生すると画像の白地部にトナーが付着する白地かぶりの画像不良が発生し易くなる。
【００６６】
＜パッチ検ＡＴＲ＞
図４はパッチ検ＡＴＲによるトナー補給量の決定の説明図である。制御部２５は、感光ドラム４０に一定の現像コントラストで形成した静電像が目標とする所定量のトナー載り量で現像されるように、トナー搬送スクリュー６２によるトナーの供給を制御する。現像装置４４内を循環して現像スリーブ５１に担持されるトナーの帯電量が一定に保たれるように、二成分現像剤に占めるトナー濃度を変化させて、出力画像の濃度変化を抑制する。
【００６７】
このような出力画像の濃度制御を目的としたトナー補給を行うために、制御部２５は、パッチ検ＡＴＲ制御を実行する。制御部２５は、所定の帯電・露光条件を用いて所定の測定用トナー像（パッチ画像）を作像し、画像濃度センサ７３で光学的な検出を行ってトナー載り量を測定する。そして、測定したトナー載り量が目標とするトナー載り量に誘導されるように、現像装置４４に対する補給用トナーの補給量を変化させる。
【００６８】
制御部２５は、中間調の画像濃度に対応させて形成した参照用のパッチ画像の濃度が適正化するように、現像装置４４へのトナー補給量を制御する。これにより、市場で重要視されている、その後に形成される中間調（ハーフトーン）の画像の濃度を適正化する。従来の単純なトナー濃度制御とは異なり、現像装置４４内のトナー濃度にはある程度の変動を許す一方、感光ドラム４０上に形成されるパッチ画像のトナー載り量については、常時適正化すべくトナー補給制御を行っている。
【００６９】
画像濃度センサ７３は、感光ドラム４０上で光軸が９０度の交差角を持つように、感光ドラム４０に対向させて発光ダイオードの発光部７３ａと光電変換素子の受光部７３ｂを配置している。画像濃度センサ７３は、感光ドラム４０に照射した参照光の正反射光を検知して、トナー像のトナー載り量に対応した電圧を出力する。
【００７０】
受光部７３ｂからの実際のパッチ画像のトナー載り量を検知した出力信号は、比較器７５の一方の入力に供給される。比較器７５の他方の入力には、基準電圧信号源７６からパッチ画像の規定トナー載り量（初期濃度）に対応する基準信号が入力されている。比較器７５は、測定したパッチ画像のトナー載り量と初期画像のトナー載り量とを比較して差分の出力信号を制御部２５に供給する。
【００７１】
図４に示すように、制御部２５は、差分の出力信号に基づいて現像装置４４内の二成分現像剤４３へのトナー補給量を制御する。差分が正方向に大きい場合は、トナー載り量が不足して反射光量が多い場合であるからトナー補給量を増して、トナー帯電量を低下させて、同じ現像コントラストのパッチ画像に付着するトナー量を増やす。差分が負方向に大きい場合は、トナー載り量が過剰で反射光量が少ない場合であるからトナー補給量を減らしてトナー帯電量を上昇させて、同じ現像コントラストのパッチ画像に付着するトナー量を減らす。
【００７２】
図１に示すように、画像形成装置１００では、イエロー、マゼンタ、シアンの３色分の画像形成部Ｐａ、Ｐｂ、Ｐｃを備えている。各色の画像形成部Ｐａ、Ｐｂ、Ｐｃにおいて、各色のパッチ画像のトナー載り量の検出と初期画像のトナー載り量との比較が独立に行なわれ、各色のパッチ画像における差分の出力信号が制御部２５に供給される。
【００７３】
パッチ検ＡＴＲでは、感光ドラム４０上のパッチ画像のトナー載り量を一定に保つので、トナー帯電量の変動が小さくなる。このため、現像の後に続くトナー像の転写工程の安定にもつながり、結果として良好に出力画像の濃度を推移させ、フルカラー画像の色味変動を小さくできる。
【００７４】
画像比率が低くてトナー消費量が少ない画像を多量に形成し続けた場合、二成分現像剤中のトナーの入れ替わりが抑えられることで、トナー帯電量が増加する（いわゆるチャージアップ）。これにより、パッチ画像のトナー載り量も落ちるので、パッチ検ＡＴＲ上、トナー不足と判断し、図４に示すように割り増したトナー補給を行ってトナー濃度を上昇させる。トナー濃度が上昇すると、キャリアの総表面積に対してトナーの総表面積比が上昇するため、トナーの帯電量は下がる方向となる。従って、上記のチャージアップ現象を緩和する方向にトナー補給が施され、結果としてトナー帯電量変動は小さくなる。すなわち、トナーの帯電量が上昇すると所定の現像コントラストで形成した画像の濃度が低下するので、二成分現像剤に占めるトナー濃度を高めて、トナーのキャリアに対する摩擦機会を減らしてトナーの帯電量を低下させる。
【００７５】
一方、画像比率が高くてトナー消費量の高い画像を多量に形成し続けた場合、二成分現像剤中のトナーの入れ替わりが激しくなることで、トナー帯電量が減少する傾向がある。この場合、パッチ画像のトナー載り量は上昇するため、パッチ検ＡＴＲ制御上トナー過多と判断し、図４に示すようにトナー補給を抑制する。トナー補給を抑制すると、トナー濃度は画像形成に従って下降し、トナー帯電量が上昇する方向に転じる。従って、トナー帯電量の減少作用と相殺し、結果としてトナー帯電量の変動が小さくなる方向となる。すなわち、トナーの帯電量が低下すると所定の現像コントラストで形成した画像の濃度が上昇するので、二成分現像剤に占めるトナー濃度を下げて、トナーのキャリアに対する摩擦機会を増やしてトナーの帯電量を高める。
【００７６】
＜トナー濃度制御＞
図５はトナー濃度制御におけるトナー補給量の説明図である。図６はキャリア付着及び白地かぶりを抑制するためのかぶり取り電圧の調整の説明図である。
【００７７】
パッチ検ＡＴＲでは、トナー濃度を積極的に変化させてパッチ画像のトナー載り量を一定に制御するため、トナー濃度を一定に保つことはできない。上述のように、トナー消費量の低い画像を多量に形成し続けた場合、トナー帯電量の増加を抑制するために割り増しのトナー補給が続けられ、トナー濃度は上昇を続ける。しかし、トナー濃度が上昇しすぎると、現像スリーブ５１の回転に伴って周囲に飛散する飛散トナー量が極度に増加して好ましくない。
【００７８】
一方、長期間停止させた状態から画像形成を再開した場合、攪拌を続けてもトナー帯電量がなかなか上がらないため、トナー帯電量を上昇させるべくトナー補給が絞り込まれ続けてトナー濃度が下降し続ける。しかし、トナー濃度が下降しすぎると、がさついた濃度ムラの目立つ出力画像となり、これも好ましくない。
【００７９】
そこで、制御部２５は、このようなパッチ検ＡＴＲの弊害を回避するために、トナー濃度センサ８０の出力に基づいて二成分現像剤４３のトナー濃度を上限１２％下限５％の一定範囲内に制御する。現像装置４４内にトナー濃度センサ８０を設置して、制御部２５は、画像形成中にトナー濃度を適宜監視している。
【００８０】
トナー濃度センサ８０は、イエローの二成分現像剤に占めるイエロートナーの比率（ＴＤ比：トナー濃度）が変化すると、イエロー光に対する二成分現像剤の反射光量が変化することを利用して、トナー濃度を反射光量にて検知する。このように検知してトナー濃度を制御する方式は、現像剤反射ＡＴＲと呼ばれる。
【００８１】
なお、トナー濃度を検出して一定に保つ制御としては、この他に、二成分現像剤の見かけの透磁率を検知して制御する方式（インダクタンス方式ＡＴＲ）、或いは非接触でトナー濃度を反射光量／見かけの透磁率等を検知して制御する方式（非接触ＡＴＲ）もある。こちらを代わりに用いてもよい。
【００８２】
制御部２５は、上述したように、ビデオカウントＡＴＲを行って、１枚の画像の画像形成を通じたトナー消費量を計算して、そのトナー消費量に見合ったトナー補給量を求める。制御部２５は、画像形成中に、１枚前の画像形成中に求めたトナー補給量に応じた時間だけモータ７０を作動させて、トナー補給槽６０から、１枚前の画像形成で消費しただけの補給用トナー６３を現像装置４４に供給する。
【００８３】
制御部２５は、上述したように、パッチ検ＡＴＲを行って、二成分現像剤のトナー濃度の変動に目をつぶって、トナー帯電量Ｑ／Ｍが一定に維持されるようにビデオカウントＡＴＲで求めたトナー補給量に対する割り増し又は絞り込みを行う。トナー帯電量Ｑ／Ｍが上昇してパッチ画像のトナー載り量が初期画像の規準値を下回ると割り増しを行い、トナー帯電量Ｑ／Ｍが下降してパッチ画像のトナー載り量が初期画像の規準値を上回ると絞り込みを行う。
【００８４】
制御部２５は、トナー濃度に上下限の閾値（リミット）を設け、割り増しの結果としてトナー濃度が上限を超えた場合は、割り増しを止めてトナー補給を適正に抑制する。逆に絞り込みの結果としてトナー濃度が下限を下回った場合は、絞り込みを中止してトナー補給を適正に増加させる。具体的には、図５に示すように、トナー濃度が上限の１２％に達すると、トナー補給を計算された必要な量の５０％とし、トナー濃度が下限の５％を割り込むと、トナー補給を計算された必要な量の１２０％とする。
【００８５】
しかし、温度湿度条件、画像比率等を異ならせて画像形成を累積する実験を行ったところ、トナー濃度が上限を超えた際にトナー補給を抑制し始めると、感光ドラム４０にキャリアが付着し易くなることが判明した。一方、トナー濃度が下限を下回った際にトナー補給を適正量増加させると、画像の白地部にトナーが付着するかぶり画像が発生し易くなることが判明した。
【００８６】
図６に示すように、トナー帯電量Ｑ／Ｍ（トリボ）が変化すると、感光ドラム４０上の白地かぶり（トナー付着）とキャリア付着が変化するため、これらを抑制するためのかぶり取り電圧Ｖｂａｃｋの適正値が変化する。
【００８７】
図２に示すように、現像スリーブ５１に印加される直流電圧Ｖｄｃと感光ドラム４０の白地部の暗部電位ＶＤとの電位差がかぶり取り電圧Ｖｂａｃｋである。かぶり取り電圧Ｖｂａｃｋにより、現像スリーブ５１に担持されたトナーは現像スリーブ５１方向へ静電力を受け、キャリアは感光ドラム４０方向へ静電力を受ける。このため、トナー帯電量Ｑ／Ｍの上昇あるいは下降により、現像スリーブ５１と感光ドラム４０の間のトナー・キャリアの挙動が変化する。その結果、図６に示すように、トナー帯電量Ｑ／Ｍが高まると、感光ドラム４０に対する白地かぶりが減る一方でキャリア付着が増加するため、適正なかぶり取り電圧Ｖｂａｃｋが下がる傾向となる。逆に、トナー帯電量Ｑ／Ｍが下がると、感光ドラム４０に対するキャリア付着が減る一方で白地かぶりが増加するため、適正なかぶり取り電圧Ｖｂａｃｋが上がる傾向となる。
【００８８】
従来、かぶり取り電位Ｖｂａｃｋは、一定値で制御を行っていた。このため、トナー濃度に上下限を設けてトナー補給制御を行う場合、トナー帯電量Ｑ／Ｍの一定が保てなくなると、白地かぶり・キャリア付着に関する適正値が変化して、表１に示すように、白地かぶりやキャリア付着が発生する可能性がある。
【００８９】
【表１】
2011118146.tif 000003
【００９０】
そこで、以下の実施例では、トナー濃度に上下限を設けてトナー補給制御を行う際に、トナー帯電量Ｑ／Ｍの変化に応じてかぶり取り電圧を適正に変化させ、白地かぶり・キャリア付着の発生を最小限に抑えている。フルカラー画像の色味変動・濃度変動を小さく抑えつつ、かつ白地かぶり及びキャリア付着の発生を防止して、良好な画像を長期にわたって安定して形成することができる。
【００９１】
＜実施例１＞
図７は実施例１のかぶり取り電圧制御のフローチャートである。図８は実施例１におけるかぶり取り電圧の制御の説明図である。図９は実施例１による制御例のタイムチャートである。
【００９２】
図２を参照して図７に示すように、制御部２５は、画像形成を行いつつ、露光装置３０を制御してパッチ画像を形成し、画像濃度センサ７３によりパッチ画像のトナー載り量を検出する。そして、パッチ画像のトナー載り量を所定値に誘導するために必要なトナー補給量を求める。そして、トナー濃度センサ８０の出力を読み込んでトナー濃度が上下限リミット内であれば、トナー補給量を１００％にしてパッチ画像濃度を維持するために必要なだけのトナー補給を行うとともに、かぶり取り電圧Ｖｂａｃｋを１５０Ｖにする（Ｓ１１）。
【００９３】
現像制御手段を兼ねる制御部２５は、トナー濃度センサ８０の出力を読み込んで、トナー濃度が上下限リミット内か否かを判断する（Ｓ１２、Ｓ１５）。制御部２５は、トナー濃度が上限リミットを超える場合（Ｓ１２のＹＥＳ）、トナー補給量を５０％に抑制して（Ｓ１３）、図８の（ｂ）に示すようにかぶり取り電圧Ｖｂａｃｋを徐々に１３０Ｖまで低下させる（Ｓ１４）。一方、トナー濃度が下限リミットを下回る場合（Ｓ１５のＹＥＳ）、トナー補給を１２０％に制御して（Ｓ１６）、図８の（ｄ）に示すようにかぶり取り電圧Ｖｂａｃｋを徐々に１７０Ｖまで上昇させる（Ｓ１７）。
【００９４】
現像制御手段を兼ねる制御部２５は、トナー補給量とかぶり取り電圧Ｖｂａｃｋを適正に制御しながらトナー濃度センサ８０の出力によりトナー濃度を適宜監視する。そして、トナー濃度が上限リミットを超えた状態から上限リミット以下に復帰した場合（Ｓ１８のＹＥＳ）、トナー補給量を１００％に戻して（Ｓ１９）、図８の（ｃ）に示すようにかぶり取り電圧Ｖｂａｃｋを徐々に元の１５０Ｖに戻す。一方、トナー濃度が下限リミットを下回る状態から下限リミット以上へ復帰した場合（Ｓ２１のＹＥＳ）、トナー補給量を１００％に戻して（Ｓ２２）、かぶり取り電圧Ｖｂａｃｋを徐々に１５０Ｖへ復帰させる（Ｓ２３）。
【００９５】
現像制御手段を兼ねる制御部２５は、Ｓ１２、Ｓ１５、Ｓ１８、Ｓ２１のいずれにも該当せず、トナー濃度が上下限リミット範囲内にあり続けるときは、トナー補給を１００％にする。そして、図８の（ａ）に示すように、かぶり取り電圧Ｖｂａｃｋを１５０Ｖにする（Ｓ１１）。
【００９６】
図２を参照して図８に示すように、制御部２５は、電位センサ２４により感光ドラム４０の表面電位を検出してコロナ帯電器４２のグリッド４２ｇに印加する直流電圧を調整することで、感光ドラム４０の暗部電位ＶＤを設定する。図８に示すように、制御部２５は、現像スリーブ（５１）に印加される直流電圧Ｖｄｃを一定に保って、暗部電位ＶＤを変化させることにより、暗部電位ＶＤと直流電圧Ｖｄｃの差電圧であるかぶり取り電圧Ｖｂａｃｋを任意に設定可能である。暗部電位ＶＤの設定後、制御部２５は、露光装置３０を制御して全面露光を行って電位センサ２４により明部電位ＶＬを検出し、明部電位ＶＬが所定値に収束するように露光装置３０のレーザービーム強度を設定する。これにより、かぶり取り電圧Ｖｂａｃｋを変更しても、トナー載り量を規定する直流電圧Ｖｄｃと明部電位ＶＬの差電圧である現像コントラストＶｃｏｎｔが一定に保たれる。
【００９７】
図９の（ａ）は、画像形成枚数に応じた実施例１でのトナー濃度の推移を示し、図９の（ｂ）は、パッチ検ＡＴＲのトナー載り量（画像濃度）推移を示している。図９の（ｃ）はトナー帯電量Ｑ／Ｍの推移を示し、図９の（ｄ）はかぶり取り電圧の推移を示している。
【００９８】
図９の（ａ）に示すように、時刻Ａに至るまでは、トナー濃度が上下限の範囲内にあるため、図９の（ｂ）に示すように、パッチ濃度を一定にすべくトナー補給制御が行われた結果、パッチ濃度は略一定となっている。トナー濃度が上下限の範囲内である場合、図９の（ｃ）に示すように、トナー帯電量Ｑ／Ｍも略一定の推移を示し、かぶり取り電圧Ｖｂａｃｋを１５０Ｖとしている。
【００９９】
図９の（ａ）の時刻Ａに至ったとき、トナー濃度が上限とほぼ等しくなり、トナー濃度の上限リミット制御が働き始める。トナー濃度が上限を超えた場合は、トナー補給を計算された必要な量の５０％とし、補給量を消費量に対して抑制することで、トナー濃度の上昇を抑える。抑制量は、５０％には限らないが、３０〜９０％の範囲が好ましい。
【０１００】
しかし、トナー濃度の上限リミット制御中は、トナーがチャージアップすることにより、トナー帯電量Ｑ／Ｍが上昇してキャリア付着が増化するため、図６に示すように、かぶり取り電圧Ｖｂａｃｋを低下させる必要がある。このため、上限リミット制御を行っている間、図９の（ｄ）に示すように、かぶり取り電圧Ｖｂａｃｋを１３０Ｖに設定し、キャリア付着の発生を抑えて良好な画像を提供する。
【０１０１】
時刻Ａからトナー濃度の上限リミット制御を行い始めたら、図９の（ｄ）に示すように、かぶり取り電圧Ｖｂａｃｋを一度に１３０Ｖに低下させず、徐々に１３０Ｖに向かって変化させることで、ハイライト画像の急激な変化を抑制している。実施例１では、Ａ４サイズ横送り画像１００枚の画像形成につき１Ｖづつかぶり取り電圧Ｖｂａｃｋを変化させている。
【０１０２】
図９の（ａ）の時刻Ｂにおいて、トナー濃度が上限とほぼ等しくなり、その後、トナー濃度は上下限の範囲内を推移している。時刻Ａを過ぎてから作動していたトナー濃度の上限リミット制御は、時刻Ｂを超えた後は作動しない。図９の（ｄ）に示すように、時刻Ｂ以降、上限リミット制御の作動中に１３０Ｖに制御されていたかぶり取り電圧Ｖｂａｃｋを、Ａ４サイズ横送り画像１００枚の画像形成につき１Ｖづつ徐々に１５０Ｖに戻す。これにより、上限リミット制御の作動時と同様、ハイライト画像の急激な濃度変化を抑えている。
【０１０３】
図９の時刻Ａから時刻Ｂに至るまでの間、トナー濃度が上限リミットを超えたため、トナー補給をトナーの比率を維持するために必要な量以下の５０％に抑制することでトナー濃度の上昇を抑える。トナー補給を抑え続けると、トナー濃度が減少に転じて上限リミットを下回る場合がある。トナー濃度が上下限の間に入った場合は、５０％の抑制を中断して通常の１００％トナー補給に戻る。
【０１０４】
ここで、仮にチャージアップ状態が続いていれば、トナー帯電量が上昇し、結果としてパッチ画像のトナー載り量が基準値よりも少なくなるため、トナー補給が増加方向に補正され、再度トナー濃度が上昇する。その場合、再度トナー濃度が上限を越えた時点で、上限リミット制御が作動して再びトナー補給が５０％に抑制される。このような動作を繰り返すことで、時刻Ａから時刻Ｂに至るまでの間、トナー濃度は上限値の近傍を推移することになる。
【０１０５】
図９の時刻Ｂに至ると、トナー濃度が上限を超えてトナー補給が５０％に抑制された状態から、トナー濃度が上限を下回り、かつパッチ画像のトナー載り量が基準値近傍あるいは基準値より多い状態となる。このとき、トナー補給は画像形成ごとの消費量と等量に制御され、トナー濃度が再度上昇に転じることなく、その後、上下限の間を推移している。
【０１０６】
図９の時刻Ｃに至ると、トナー濃度は下限とほぼ等しくなり、今度はトナー濃度の下限リミット制御が作動する。下限リミット制御では、トナー補給量をトナーの比率を維持するために必要な量以上の１２０％とし、補給量を消費量に対して増加させることで、トナー濃度の下降を抑えている。そして、下限リミット制御を行っている間は、図９の（ｄ）に示すように、かぶり取り電圧Ｖｂａｃｋを１７０Ｖに設定する。
【０１０７】
下限リミット作動中は、トナー帯電量Ｑ／Ｍが下降気味となり、図６に示すようにキャリア付着の発生は緩和するものの、白地かぶりが増化する傾向がある。しかし、トナー帯電量Ｑ／Ｍの変化に伴ってかぶり取り電圧Ｖｂａｃｋも適正に変化させることで、トナー帯電量Ｑ／Ｍの変化に対しても画像上影響されることなく、良好な画像を提供することが可能である。
【０１０８】
また、上限リミット作動中と同様、下限リミット制御が作動し始めたら、かぶり取り電圧Ｖｂａｃｋを徐々に適正値に変化させることで、ハイライトの急激な濃度変化を防止している。
【０１０９】
実施例１では、上限リミット制御時と同様、Ａ４サイズ横送り画像１００枚の画像形成につき１Ｖづつかぶり取り電圧Ｖｂａｃｋを変化させている。
【０１１０】
＜実施例２＞
図１０は実施例２におけるかぶり取り電圧の制御の説明図である。実施例２では、図１〜図７、及び図９に示す画像形成装置１００において実施例１と同様にトナー補給制御を行い、実施例１と同様に、トナー補給制御に伴うかぶり取り電圧Ｖｂａｃｋの最適化を実行する。しかし、かぶり取り電圧Ｖｂａｃｋを画像形成変更する際に、帯電条件を変化させる代わりに現像条件（現像スリーブ５１に印加する直流電圧Ｖｄｃ）を変化させている。従って、実施例１と重複する部分の説明は省略する。
【０１１１】
図２を参照して図１０に示すように、感光ドラム４０は、電位センサ２４の出力を参照してコロナ帯電器４２の出力を調整することにより、一定の暗部電位ＶＤに帯電される。電源Ｄ４は、可変の直流電圧Ｖｄｃに交流電圧を重畳した振動電圧を現像スリーブ５１に印加することにより、暗部電位ＶＤと直流電圧Ｖｄｃの差電圧であるかぶり取りコントラストＶｂａｃｋを可変に設定する。
【０１１２】
暗部電位ＶＤに帯電された感光ドラム４０の表面を露光装置３０が露光することで、露光部分の表面電位が明部電位ＶＬに低下して静電像が形成される。直流電圧Ｖｄｃと明部電位ＶＬの差電圧がトナー載り量を規定する現像コントラストＶｃｏｎｔである。
【０１１３】
＜実施例３＞
図１１は実施例３におけるかぶり取り電圧の制御の説明図である。図１２は実施例３のかぶり取り電圧制御のフローチャートである。図１３は第１実施例と第３実施例との制御の比較の説明図である。
【０１１４】
実施例３では、図１〜図７、及び図９に示す画像形成装置１００において実施例１と同様にトナー補給制御を行う。そして、トナー濃度が上限値を超えた場合にはかぶり取り電圧Ｖｂａｃｋを低下させてキャリア付着を抑制し、トナー濃度が下限値を割り込んだ場合にはかぶり取り電圧Ｖｂａｃｋを上昇させて白地かぶりを抑制する。
【０１１５】
しかし、実施例１では、画像濃度の急変を防止するために、画像形成の累積に伴って次第にかぶり取り電圧Ｖｂａｃｋを変化させたが、実施例３では、パッチ検知ＡＴＲの測定結果に応じたかぶり取り電圧Ｖｂａｃｋを印加する。かぶり取り電圧Ｖｂａｃｋを変更する際に、直前のパッチ検ＡＴＲの測定結果に応じたかぶり取り電圧Ｖｂａｃｋの設定を行うことで、結果的に、かぶり取り電圧Ｖｂａｃｋを少しずつ変化させて、ハイライト画像の急激な濃度変化を抑えている。上下限リミット制御中にもパッチ検ＡＴＲを継続し、検出したパッチ画像のトナー載り量に応じたかぶり取り電位Ｖｂａｃｋを設定することで、より安定した良質な画像形成を可能にする。
【０１１６】
図２を参照して図１１に示すように、パッチ検ＡＴＲで検出したパッチ画像のトナー載り量と初期画像のトナー載り量との差分値に応じてかぶり取り電圧Ｖｃｏｎｔが補正される。
【０１１７】
図９の（ｂ）に示すように、時刻Ａから時刻Ｂに至るまでの間、トナー濃度が上限リミットを超えているため、上限値リミット制御に入っている。このとき、図９の（ｂ）に示すようにトナー帯電量Ｑ／Ｍが高まるため、パッチ画像のトナー載り量は少なくなり、散乱光タイプの画像濃度センサ７３では、パッチ画像を検出した検出結果は、図９の（ｂ）に示すように大きくなる。ここで、図６に示すように、トナー帯電量Ｑ／Ｍが高いと白地かぶりは良化し、キャリア付着は増化傾向にある。
【０１１８】
そこで、実施例２では、図１１に示すように、トナー帯電量Ｑ／Ｍが高くてパッチ画像のトナー載り量が少ない時、キャリア付着を抑制するために、かぶり取り電圧Ｖｂａｃｋを小さくする。散乱光タイプの画像濃度センサ７３によるパッチ画像の検出結果と初期画像の検出結果との差分値に応じて、かぶり取り電圧を小さくする方向に適正に補正する。
【０１１９】
一方、図９の（ｂ）に示すように、時刻Ｃ以降は、トナー濃度が下限リミットを下回るため、下限リミット制御に入っている。
【０１２０】
図１１に示すように、下限リミット制御中は、時刻Ａから時刻Ｂに至るまでとは逆に、パッチ検ＡＴＲの検出値と初期画像の検出値との差分が大きいほど（パッチ画像のトナー載り量が多いほど）、かぶり取り電圧Ｖｂａｃｋを大きくする方向に補正を行う。実施例３では、かぶり取り電圧Ｖｂａｃｋの補正値は、上下限をそれぞれ±２０Ｖとして、補正が過剰に行われないように保護を設けた。
【０１２１】
図２を参照して図１２に示すように、制御部２５は、トナー濃度センサ８０の出力を読み込んでトナー濃度が上下限リミット内であれば、トナー補給量を１００％にするとともにかぶり取り電圧Ｖｂａｃｋを１５０Ｖにする（Ｓ３１）。
【０１２２】
現像制御手段を兼ねる制御部２５は、トナー濃度が上限リミットを超える場合（Ｓ３２のＹＥＳ）、トナー補給量を５０％に抑制して（Ｓ３３）、図１１に示すように直前のパッチ検知結果に応じた電圧分、かぶり取り電圧Ｖｂａｃｋを低下させる（Ｓ３４）。一方、トナー濃度が下限リミットを下回る場合（Ｓ３５のＹＥＳ）、トナー補給を１２０％に制御して（Ｓ３６）、図１１に示すように直前のパッチ検知結果に応じた電圧分、かぶり取り電圧Ｖｂａｃｋを上昇させる（Ｓ３７）。
【０１２３】
その結果、図１３の（ａ）に示すように実施例１では、かぶり取り電圧が一方向に少しずつ変化するのに対して、実施例３では、かぶり取り電圧が直前のパッチ検知結果に応じて上下に変化する。
【０１２４】
制御部２５は、ハーフトーン画像の濃度が原画像の濃度に対して視感的にリニアな特性を実現できるようにディザ濃度テーブルを設定している。ディザ濃度テーブルは、入力濃度レベルをディザマトリックスへの入力レベルに変換するテーブルである。
【０１２５】
制御部２５は、入力濃度レベルをディザ濃度テーブルのディザマトリックスの入力として、ディザマトリックスによるドットパターンを形成し、ハーフトーン画像を形成している。
【０１２６】
制御部２５は、予め標準的な濃度特性状態において、ディザマトリックスをそれぞれ異ならせて複数段階の濃度のドットパターンのパッチ画像を形成する。そして、画像濃度センサ７３を用いて複数段階の濃度のパッチ画像の反射光を測定することにより、ディザマトリックスの濃度特性を算出する。そして、ディザマトリックスの濃度特性から、入力濃度レベルに対して目標の濃度特性（リニアな特性）となるようなディザ濃度テーブルを作成している。
【０１２７】
制御部２５は、画像濃度の変動に対しては、特定のタイミングで数点の濃度レベルの濃度のパッチ画像を形成して反射光を測定し、測定したパッチ画像の濃度値から濃度特性の変動を求める。そして、濃度特性が目標の濃度特性となるような濃度補正テーブルを作成することで、画像濃度の補正を行っている。
【０１２８】
また、画像形成ジョブの途中或いはジョブ終了前後で、濃度特性はそのままで、簡易的な測定で濃度レベルのみを調整する簡易濃度測定処理（ＡＲＣＤＡＴ）を併用し、できるだけ経時変化による濃度変動を抑えるよう制御している。
【０１２９】
実施例３では、かぶり取り電圧Ｖｂａｃｋを調整する際に、上記の簡易濃度測定処理を併用することにより、画像濃度の変動を抑えるように制御している。さらに、濃度制御をより適正に行うため、かぶり取り電圧を変更するタイミングに応じて、電位変更後に上記の濃度補正テーブルを再作成することが好ましい。
【０１３０】
実施例３では、画像濃度センサ７３の検出結果と初期画像の検出結果との差分値に応じてかぶり取り電圧の可変幅を制御する。これにより、トナー濃度が上限を超えそうな場合又は下限を下回りそうな場合においても、白地かぶりやキャリア付着等を抑制して、安定して良好な画像を提供できる。
【符号の説明】
【０１３１】
２４  電位センサ
２５  制御部
３０  露光装置
４０  感光ドラム（像担持体）
４２  コロナ帯電器
４３  二成分現像剤
４４  現像装置（現像手段）
５１  現像スリーブ
５２  マグネットローラ
６０  トナー補給槽（トナー補給手段）
６２  トナー補給スクリュー
６３  補給用トナー
６６  ビデオカウンタ
７０  モータ
７３  画像濃度センサ
８０  トナー濃度センサ
Ｄ４  電源
【図１】
2011118146.tif 000004
【図２】
2011118146.tif 000005
【図３】
2011118146.tif 000006
【図４】
2011118146.tif 000007
【図５】
2011118146.tif 000008
【図６】
2011118146.tif 000009
【図７】
2011118146.tif 000010
【図８】
2011118146.tif 000011
【図９】
2011118146.tif 000012
【図１０】
2011118146.tif 000013
【図１１】
2011118146.tif 000014
【図１２】
2011118146.tif 000015
【図１３】
2011118146.tif 000016